(57)【特許請求の範囲】
【請求項１】
調理用テーブル面に設けられた取付孔に器具全体を上部より組込み左右の器具側面と該取付孔側壁との間に生じた隙間を、器具の両側部に形成した化粧板受部に前面より化粧板を挿入することにより塞ぐ組込型調理器において、
上記化粧板受部は、器具側面に上記化粧板を挿入ガイドするための挿入ガイドと該挿入ガイドの挿入方向後部に凸部とを設けるとともに、器具前面に位置決め孔を設け、いっぽう化粧板は、該位置決め孔に前面から嵌合してロックされるボスと、該挿入ガイドに嵌合し該凸部に乗り上げると凸部によって弾性変形させられ該ボスを位置決め孔にロックされる方向に押圧する突出片とを設けたことを特徴とする組込型調理器。
【発明の詳細な説明】
【０００１】
【発明の属する技術分野】
本発明は、キッチンユニット組込型調理器の化粧板取付構造に関する。
【０００２】
【従来の技術】
従来より、キッチンユニットのカウンタに一体で収納したいわゆるビルトイン式の調理用ガステーブルコンロがある。このタイプの組込型テーブルコンロにおいては、図３に示すように、カウンタトップ３１に設けた４角の取付孔３２より器具を落とし込み左右に張り出した器具上端をカウンタトップに引っ掛けることにより係止する。
このとき、器具側面間の幅とキッチンユニット取付孔側壁間の幅とに寸法差があり、器具を単に落とし込んで収納しただけでは、器具側面と取付孔側壁との間に隙間３３が生じキッチンユニット素材がむきだしとなってしまうので、収納後さらに隙間３３に正面より化粧板（以下サイドモールと呼ぶ）を取り付ける。
従来の器具では、図４に示すように、湾曲した押さえ部４２ａを持つ板バネ４２をビス４１を使用して器具側面に取り付け、その押さえ部４２ａに突出片４３ａを設けたサイドモール４３を正面より挿入する。また、特開平６−２５７７６６には、図５，図６に示すように、器具の操作パネル側面５１に切り起こし部５１ａと位置決め孔５１ｂとを設け、この切り起こし部５１ａに嵌合する形状で端部にひっかかる突起５２ｂと位置決め孔５１ｂにはまり込む位置決め用突起５１ｃとを有する嵌合保持部５２ａを備えたサイドモール５２を組み付けることにより、板バネがなくてもサイドモール５２の取付が容易にできるものが示されている。また、実公平８−６１６５には、図示しないが、サイドモールの挿入方向に突出した２本の平行な突片を設け、その先端部に、弾性力を発生させサイドモールを器具側面に押しつけるための突起と、挿入位置を決定する位置決め用突起とを形成し、２本の突片の中間には別の突片を設け、器具外側面には、その中間の突片を挿入してガイドする保持部を設けたものが示されている。このサイドモールも容易に取付ができると共に、器具外側面に対して弾性保持されて器具外側面との間に隙間ができない。
【０００３】
【発明が解決しようとする課題】
しかしながら、サイドモールを外す場合に、特開平６−２５７７６６のサイドモール５２は、前面から上下のどちらか一方の端を押して位置決め用突起５２ｃのロックを位置決め孔５１ｂから解除し、その後、手前に引っ張ることによって突起５２ｂを切り起こし部５１ａから引出す必要がある。このため、ロックを解除する操作や手前に引っ張る際の力加減が難しい。しかも、位置決め用突起５２ｃのロックを解除し突起５２ｂを引出す場合に、無理にこれらの突起のエッジを変形させるために、一度サイドモール５２を外して再度挿入し直した場合には、今度はゆるくなってしまう恐れもある。また、実公平８−６１６５のサイドモールも、手前に引っ張ることによって位置決め用突起を位置決め孔より脱出させる必要があるので、同様な問題がある。
本発明は上記課題を解決し、サイドモールの変形を無くして着脱を確実とした組込型調理器の提供を目的とする。
【０００４】
【課題を解決するための手段】
上記課題を解決する本発明の請求項１記載の組込型調理器は、調理用テーブル面に設けられた取付孔に器具全体を上部より組込み左右の器具側面と該取付孔側壁との間に生じた隙間を、器具の両側部に形成した化粧板受部に前面より化粧板を挿入することにより塞ぐ組込型調理器において、上記化粧板受部は、器具側面に上記化粧板を挿入ガイドするための挿入ガイドと該挿入ガイドの挿入方向後部に凸部とを設けるとともに、器具前面に位置決め孔を設け、いっぽう化粧板は、該位置決め孔に前面から嵌合してロックされるボスと、該挿入ガイドに嵌合し該凸部に乗り上げると凸部によって弾性変形させられ該ボスを位置決め孔にロックされる方向に押圧する突出片とを設けたことを要旨とする。
【０００５】
請求項１記載の組込型調理器は、調理用テーブル面に設けられた取付孔に器具全体を上部より組み込み、その後左右の両側面に化粧板を取り付ける。化粧板は、器具の両側面に設けられた化粧板受部の挿入ガイドに、その突出片を嵌合させ挿入する。
化粧板を化粧板受部に挿入すると、化粧板に設けられたボスは、化粧板受部の位置決め孔に嵌合しロックされる。同時に、化粧板の突出片が化粧板受部の凸部に乗り上げて弾性変形させられ元に戻ろうとする力が発生するので、この力によってボスが位置決め孔にロックされる方向に押圧される。従って、いったん化粧板が化粧板受部に組み付けられると、位置決め孔に嵌合したボスが容易に外れてしまうことがない。いっぽう、化粧板を外す場合には、化粧板を、押圧方向と逆方向つまり器具外側（横）に押すだけで容易にロックが外れ、そのまま手前へ引き抜くことができる。つまり、化粧板の取付，取外し容易であり、しかも、通常使用時に器具より誤って外れることがない。また、こうした時にボスが変形してしまうことがないので、再び化粧板を挿入した場合に、ボスの嵌合がゆるくなり化粧板の位置が決まらなかったりロックができないということもない。
【０００６】
【発明の実施形態】
以上説明した本発明の構成・作用を一層明らかにするために、以下本発明の組込型調理器の好適な実施例について図を用いて説明する。
図１，図２及び図３に示すように、組込型テーブルコンロ２１（以下単にコンロ２１と呼ぶ）においては、カウンタトップ３１に設けた４角形の取付孔３２よりコンロ２１を落とし込みコンロ２１の上端１１をカウンタトップ３１に引っ掛けることにより係止する。収納後さらにコンロ側面２２とカウンタトップ３１取付孔３２壁面との隙間３３に、正面より化粧板であるサイドモール２３を取り付ける。
コンロ側面２２には、化粧板を挿入してガイドするための挿入ガイド２２ａと、その挿入ガイド２２ａの挿入方向後部に突起２２ｂとが設けられる。挿入ガイド２２ａは、コンロ側面２２を一体で切り起こし、突起２２ｂもコンロ側面２２からプレス加工により一体で絞り成形する。また、コンロ前面２５には、両サイドに２個の位置決め孔２２ｃも開けられる。
サイドモール２３は、コンロ両端と取付壁との間の隙間を覆う幅を持ち、側面には、挿入ガイド２２ａに嵌合する突出片２３ａが挿入方向に延びる。サイドモール２３前面の器具側には、位置決め孔２２ｃにはまり込む位置決めボス２３ｃが挿入方向に向かって突出する。位置決めボス２３ｃは、先端から根元にかけて勾配のついたくさび形状で、根元で平面２３ｄを形成する。
サイドモール２３は、弾性を持った樹脂で一体成形され、突出片２３ａは変形すると弾性により元に戻ろうとする力を発生する。
【０００７】
サイドモール２３のコンロ２１への取付は、サイドモール２３の突出片２３ａをコンロ２１の挿入ガイド２２ａへ挿入する。この時、位置決めボス２３ｃは、くさび形状に形成されているので、いったん弾性変形してくさび形状部を乗り越えると、その根元が位置決め孔２２ｃ側面に押しつけられるとともに位置決め孔２２ｃの裏面と平面２３ｄが合わさりロックされる。さらに、突出片２３ａが突起２２ｂへ乗り上げることによって弾性変形させられ元へ戻ろうとするので、サイドモール２３は、挿入ガイド２２ａを中心にＣ−Ｃ断面図でみて時計回り方向に回転する力が働く。そのため、サイドモール２３前方部は、コンロ側面２２に押し付けられるとともに、位置決めボス２３ｃもロック方向に付勢されるので、単に手前に引き抜こうとしてもロックは解除されず、サイドモール２３が不用意に器具より外れることがない。
いっぽう、この状態からサイドモール２３を外すには、サイドモール２３をいったんロック解除方向（横方向）に押し、位置決めボス２３ｃを位置決め孔２２ｃより外すだけでロックを解除でき、そのまま簡単に手前に引き抜くことができる。また、こうした時にボス２３ｃが変形してしまうことがないので、再びサイドモール２３を挿入した場合に、ボス２３ｃと位置決め孔２２ｃとの嵌合がゆるくなりロックがかからないということもない。
なお、挿入ガイド２２ａと突起２２ｂは、コンロ側面２２より一体で成形されるので、簡易な構成で位置も正確に決まり、コストを安く製造できる。
以上本発明の実施例について説明したが、本発明はこうした実施例に何等限定されるものではなく、本発明の要旨を逸脱しない範囲において、種々なる態様で実施し得ることは勿論である。
【０００８】
【発明の効果】
以上詳述したように、上記構成を有する本発明の請求項１記載の組込型調理器は、いったん化粧板が化粧板受部に組み付けられるとロックされ使用中に化粧板が誤って外れることがなく、いっぽう、化粧板を外そうとする場合には、容易にロックを外すことができ、化粧板の取付，取外しが確実かつ簡単にできる。
【図面の簡単な説明】
【図１】１実施例としての組込型テーブルコンロの概略構成図である。
【図２】挿入ガイドにサイドモールを挿入した状態の断面図である。
【図３】カウンタにテーブルコンロを組込んだ状態を説明した図である。
【図４】従来例としての組込型テーブルコンロの概略構成図である。
【図５】従来例としての組込型テーブルコンロの概略構成図である。
【図６】従来の挿入ガイドにサイドモールを挿入した状態の断面図である。
【符号の説明】
２１  組込型テーブルコンロ
２２  コンロ側面
２２ａ  挿入ガイド
２２ｂ  突起
２２ｃ，５１ｂ  位置決め孔
２３，４３，５２  サイドモール
２３ａ，４３ａ  突出片
２３ｃ  位置決めボス
４１  ビス
４２  板バネ
【図１】
0003753393.tif 000002
【図２】
0003753393.tif 000003
【図３】
0003753393.tif 000004
【図４】
0003753393.tif 000005
【図５】
0003753393.tif 000006
【図６】
0003753393.tif 000007